(57)【要約】【課題】濃度検知手段の出力値に基づいて、少なくとも磁性キャリアの飛散状態、又は現像槽からの現像剤の溢れ状態を検出する。【解決手段】画像形成装置は、トナーと磁性キャリアを含む現像剤を現像槽に収容し、前記現像槽から現像剤を撹拌しながら搬送して、前記トナーにより像を像担持体に形成して用紙に画像を印刷する。画像形成装置は、前記現像剤の濃度を透磁率の変化により検知して周波数又は電圧として出力する濃度検知手段と、状態検出手段とを備える。前記状態検出手段は、前記濃度検知手段の出力を受け、該出力の振幅値に基づいて、前記像担持体への前記磁性キャリアの飛散状態、前記現像槽からの現像剤の溢れ状態、及び前記現像剤の流動性の低下状態のうち、少なくとも前記磁性キャリアの飛散状態、又は前記現像槽からの現像剤の溢れ状態を検出する。【選択図】図１１
2020190700.tif 000002
【特許請求の範囲】
【請求項１】
トナーと磁性キャリアを含む現像剤を現像槽に収容し、前記現像槽から現像剤を撹拌しながら搬送して、前記トナーにより像を像担持体に形成し、用紙に画像を印刷する画像形成装置において、
前記現像剤の濃度を透磁率の変化により検知して周波数又は電圧として出力する濃度検知手段と、
前記濃度検知手段の出力を受け、該出力の振幅値に基づいて、前記像担持体への前記磁性キャリアの飛散状態、前記現像槽からの現像剤の溢れ状態、及び前記現像剤の流動性の低下状態のうち、少なくとも前記磁性キャリアの飛散状態、又は前記現像剤の溢れ状態を検出する状態検出手段と、を備えた
ことを特徴とする画像形成装置。
【請求項２】
標準現像剤の使用時での基準振幅値を予め記憶する記憶手段を備え、
前記状態検出手段は、
画像印刷時の現振幅値の前記基準振幅値に対する変動量を算出し、該変動量を所定の閾値と比較する
ことを特徴とする請求項１に記載の画像形成装置。
【請求項３】
前記状態検出手段は、
前記変動量を、第１閾値と比較して、前記磁性キャリアの飛散状態を検出する
ことを特徴とする請求項２に記載の画像形成装置。
【請求項４】
前記状態検出手段は、
前記変動量を、第２閾値と比較して、前記現像剤の溢れ状態を検出する
ことを特徴とする請求項２に記載の画像形成装置。
【請求項５】
前記状態検出手段は、
前記変動量を、第３閾値と比較して、前記現像剤の流動性の低下状態を検出する
ことを特徴とする請求項２に記載の画像形成装置。
【請求項６】
前記状態検出手段が前記現像剤の流動性の低下状態を検出したとき、所定の低印字率での連続印刷の状態を検出する低印字印刷検出手段を備えた
ことを特徴とする請求項５に記載の画像形成装置。
【請求項７】
前記低印字印刷検出手段が前記所定の低印字率での連続印刷の状態を検出したとき、前記トナーを強制的に消費し、新トナーを補給するリカバリー動作を行うリカバリー手段を備えた
ことを特徴とする請求項６に記載の画像形成装置。
【請求項８】
前記濃度検知手段は、濃度検知面が前記現像槽内に位置し、
前記現像槽内には、回転軸の外周に螺旋羽根を設けた搬送部材が配置され、
前記搬送部材の前記回転軸には、
前記濃度検知手段の濃度検知面に対向する位置に、前記螺旋羽根が前記回転軸に対して成す傾斜角度とは異なる傾斜角度で傾斜する撹拌部材が設けられる
ことを特徴とする請求項１〜７の何れか１項に記載の画像形成装置。
【請求項９】
前記撹拌部材が前記回転軸に対して成す傾斜角度θ１は、
前記螺旋羽根の前記傾斜角度θ２よりも小さい角度（θ１くθ２）に設定されている
ことを特徴とする請求項８に記載の画像形成装置。
【請求項１０】
トナーと磁性キャリアを含む現像剤を現像槽に収容し、前記現像槽から現像剤を撹拌しながら搬送して、前記トナーにより像を像担持体に形成し、用紙に画像を印刷する画像形成装置における前記現像剤の状態検出方法であって、
前記現像剤の濃度を透磁率の変化により検知して周波数又は電圧として出力する濃度検知工程と、
前記濃度検知工程の出力の振幅値に基づいて、前記像担持体への前記磁性キャリアの飛散状態、前記現像槽からの現像剤の溢れ状態、及び前記現像剤の流動性の低下状態のうち、少なくとも前記磁性キャリアの飛散状態、又は前記現像剤の溢れ状態を検出する状態検出工程と、を備えた
ことを特徴とする画像形成装置における現像剤の状態検出方法。
【発明の詳細な説明】
【技術分野】
【０００１】
本発明は、画像形成装置及び画像形成装置における現像剤の状態検出方法に関し、特に、トナー及び磁性キャリアを含む現像剤を使用し、その現像剤のトナー濃度を透磁率の変化により検出するトナー濃度センサを備えた構成に関する。
【背景技術】
【０００２】
従来、電子写真方式の画像形成装置が知られており、このような画像形成装置では、トナーと磁性キャリアを含む現像剤を使用される場合がある。この種の画像形成装置では、その現像剤のトナー濃度を検出する濃度センサとして、トナー濃度を透磁率の変化により検出する透磁率センサが使用される場合が多い。
【０００３】
例えば、特許文献１では、トナー濃度の変化が現像剤の嵩密度に変化を及ぼす観点から、嵩密度の変化を透磁率の変化として磁気的に検出して、トナー濃度を検出する磁気検知手段（濃度センサ）を設け、その出力電圧の平均値と振幅値とを用い、平均値でもって嵩密度の変化を検知し、振幅値でもって現像剤の流動性（現像剤の劣化）を検知する構成を採用している。
【０００４】
また、特許文献２では、２成分現像剤中のトナー割合を検出するトナー濃度センサを設け、そのトナー濃度センサの出力電圧の振幅値が所定の閾値以下になると、現像装置の現像ローラ等の駆動系の異常と判断して、現像剤の撹拌部材を駆動する駆動手段（駆動モータ）を停止させる構成を採用している。
【先行技術文献】
【特許文献】
【０００５】
【特許文献１】特開平８−２０２１３８号公報
【特許文献２】特開２００５−１５７２１５号公報
【発明の概要】
【発明が解決しようとする課題】
【０００６】
ところで、画像形成装置において、トナー及び磁性キャリアを含む現像剤を使用する場合には、現像剤が減少した状態では、感光体ドラムに磁性キャリアが付着して、いわゆるキャリア上がり現象が生じたり、更には、用紙の印刷画像に磁性キャリアが付着して、白斑が生じる不具合が発生することがある。また、現像剤量が増加すると、現像剤が現像槽から溢れ出て、飛散したトナーが周囲の現像ユニットや感光体プロセスユニット等を汚し、更には、印刷画像の濃度が低下する不具合が生じることがある。
【０００７】
しかしながら、特許文献１記載の技術では、現像剤の流動性の低下（現像剤の劣化）を検出できるものの、前記キャリア上がりや現像剤溢れを検出できない欠点がある。また、特許文献２記載の技術では、トナー濃度センサの出力電圧の振幅値を用いるものの、現像装置の駆動系の異常時に駆動モータを停止させる技術に留まり、同様にキャリア上がりや現像剤溢れを検出できない欠点がある。
【０００８】
本発明は、トナー及び磁性キャリアを含む現像剤を使用する場合に、その現像剤の流動性の低下だけでなく、前記キャリア上がりや現像剤溢れを精度良く検出できる画像形成装置を提供することを目的とする。
【課題を解決するための手段】
【０００９】
本発明者等は、トナー濃度の検出に透磁率センサを用いる場合には、実験により、透磁率センサの出力値（周波数又は電圧）の振幅値が、前記現像剤の流動性の低下時や、キャリア上がり時、及び現像剤溢れ時には、正常時とは異なる値に大きく変化することを見出し、本発明に至ったものである。
【００１０】
すなわち、本発明に係る画像形成装置は、トナーと磁性キャリアを含む現像剤を現像槽に収容し、前記現像槽から現像剤を撹拌しながら搬送して、前記トナーにより像を像担持体に形成し、用紙に画像を印刷する画像形成装置において、前記現像剤の濃度を透磁率の変化により検知して周波数又は電圧として出力する濃度検知手段と、前記濃度検知手段の出力を受け、該出力の振幅値に基づいて、前記像担持体への前記磁性キャリアの飛散状態、前記現像槽からの現像剤の溢れ状態、及び前記現像剤の流動性の低下状態のうち、少なくとも前記磁性キャリアの飛散状態、又は前記現像剤の溢れ状態を検出する状態検出手段と、を備えたことを特徴とする。
【発明の効果】
【００１１】
本発明によると、濃度検知手段の出力の振幅値のみに基づいて、像担持体（感光体）への磁性キャリアの飛散、いわゆるキャリア上がり、又は、現像槽からの現像剤の溢れ状態を精度良く検出することができる。
【図面の簡単な説明】
【００１２】
【図１】本発明の実施形態に係る画像形成装置の概略側面図である。
【図２】上面視した状態での現像装置の断面を示す上面断面図である。
【図３】図２の矢符Ａ−Ａでの断面を示す側面断面図である。
【図４】同現像装置において、第２スクリューを取り外してトナー濃度センサの濃度検知面の配置位置を示す上面断面図である。
【図５】同第２スクリューの全体構成を示す斜視図である。
【図６】図３の矢符Ｂ−Ｂでの断面を示す縦断面図である。
【図７】同第２スクリューの要部を拡大した斜視図である。
【図８】各振幅比でのキャリア付着個数と白斑個数を示す実験結果図である。
【図９】同実験結果図での振幅比−キャリア付着個数の相関をグラフ化した図である。
【図１０】同実験結果図での振幅比−白斑個数の相関をグラフ化した図である。
【図１１】現振幅値に基づいてキャリア上がりを検出する手順を示すフローチャート図である。
【図１２】各振幅比でのトナー飛散の状態と画像濃度（ＩＤ）とを示す実験結果図である。
【図１３】同実験結果図での振幅比−画像濃度（ＩＤ）の相関をグラフ化した図である。
【図１４】現振幅値に基づいて現像剤溢れを検出する手順を示すフローチャート図である。
【図１５】各振幅比での現像剤搬送量とドット再現性指数（Ｉ）を示す実験結果図である。
【図１６】同実験結果図での振幅比−現像剤搬送量の相関をグラフ化した図である。
【図１７】同実験結果図での振幅比−ドット再現性指数（Ｉ）の相関をグラフ化した図である。
【図１８】現振幅値に基づいて現像剤の流動性低下を検出する手順を示すフローチャート図である。
【発明を実施するための形態】
【００１３】
以下、本発明の実施形態に係る画像形成装置について、図面を参照して説明する。
【００１４】
図１は、本発明の実施形態に係る画像形成装置の概略側面図である。
【００１５】
本発明の実施形態に係る画像形成装置１は、露光装置１１、現像装置１２、感光体ドラム１３、クリーナ装置１４、帯電器１５、中間転写ベルト装置１６、定着装置１７、給紙トレイ１８、排紙トレイ１９、及び用紙搬送経路Ｓを備える構成とされており、外部から伝達された画像データに応じて、所定の用紙に対して多色及び単色の画像を形成する。
【００１６】
画像形成装置１において扱われる画像データは、ブラック（Ｋ）、シアン（Ｃ）、マゼンタ（Ｍ）、イエロー（Ｙ）の各色を用いたカラー画像に応じたものである。従って、現像装置１２、感光体ドラム１３、帯電器１５、クリーナ装置１４は、各色に応じた４種類の潜像を形成するようにそれぞれ４個ずつ設けられ、それぞれブラック、シアン、マゼンタ、イエローに設定され、これらによって４つの画像ステーションＰａ、Ｐｂ、Ｐｃ、Ｐｄが構成されている。
【００１７】
感光体ドラム１３は、画像形成装置１の略中央に配置されている。帯電器１５は、感光体ドラム１３の表面を所定の電位に均一に帯電させる。露光装置１１は、感光体ドラム１３の表面を露光して静電潜像を形成する。現像装置１２は、感光体ドラム１３の表面の静電潜像を現像して、感光体ドラム１３の表面にトナー像を形成する。上述した一連の動作によって、各感光体ドラム１３の表面に各色のトナー像が形成される。クリーナ装置１４は、現像及び画像転写の後に感光体ドラム１３の表面の残留トナーを除去及び回収する。尚、現像装置１２の構造については、後述する図２及び図３を参照して、詳細に説明する。
【００１８】
中間転写ベルト装置１６は、感光体ドラム１３の上側に配置され、中間転写ベルト２１、中間転写ベルト駆動ローラ２２、中間転写ベルト従動ローラ２３、中間転写ローラ２４、及び中間転写ベルトクリーニング装置２５を備えている。尚、中間転写ローラ２４は、ＹＭＣＫ用の各色の画像ステーションに対応して４本設けられている。
【００１９】
中間転写ベルト駆動ローラ２２、中間転写ベルト従動ローラ２３、及び中間転写ローラ２４は、中間転写ベルト２１を張架して、中間転写ベルト２１の表面を所定方向（図中矢符Ｃ方向）に移動させるように構成されている。
【００２０】
中間転写ベルト２１は、矢符Ｃの方向へ周回移動し、中間転写ベルトクリーニング装置２５によって残留トナーを除去及び回収され、各感光体ドラム１３の表面に形成された各色のトナー像が順次転写して重ね合わされて、中間転写ベルト２１の表面にカラーのトナー像が形成される。
【００２１】
画像形成装置１は、転写ローラ２６ａを含む２次転写装置２６を更に備えている。転写ローラ２６ａは、中間転写ベルト２１との間にニップ域が形成されており、用紙搬送経路Ｓを通じて搬送されて来た用紙をニップ域に挟み込んで搬送する。用紙は、ニップ域を通過する際に、中間転写ベルト２１の表面のトナー像が転写される。
【００２２】
給紙トレイ１８は、画像形成に使用する用紙を蓄積しておくためのトレイであり、露光装置１１の下側に設けられている。また、排紙トレイ１９は、画像形成装置１の上側に設けられており、画像形成済みの用紙を載置するためのトレイである。
【００２３】
用紙搬送経路Ｓは、Ｓ字状に設けられた主経路Ｓ１と、主経路Ｓ１の途中で分岐して再合流する反転経路Ｓ２とを備え、主経路Ｓ１に沿って、ピックアップローラ３１、レジスト前ローラ３３、レジストローラ３２、２次転写装置２６、定着装置１７、及び排紙ローラ３４が配置されている。反転経路Ｓ２は、定着装置１７と排紙ローラ３４との間から分岐し、複数の搬送ローラ３５を経由してレジスト前ローラ３３とレジストローラ３２との間に再合流する。
【００２４】
ピックアップローラ３１は、給紙トレイ１８の端部近傍に備えられ、給紙トレイ１８から用紙を１枚ずつ用紙搬送経路Ｓに供給する呼び込みローラである。レジストローラ３２は、給紙トレイ１８から搬送されている用紙を一旦保持し、感光体ドラム１３上のトナー像の先端と用紙の先端とを合わせるタイミングで用紙を転写ローラ２６ａに搬送する。レジスト前ローラ３３は、用紙の搬送を促進補助するための小型のローラである。
【００２５】
定着装置１７は、ベルト定着方式とされており、定着ローラ４１及び加熱ローラ４３に定着ベルト４４が巻き掛けられている。定着装置１７では、定着ベルト４４を介して定着ローラ４１に加圧ローラ４２が押圧されるようになっている。定着装置１７では、未定着のトナー像が形成された用紙を受け取り、用紙を定着ベルト４４と加圧ローラ４２との間に挟み込んで搬送する。定着後の用紙は、排紙ローラ３４によって排紙トレイ１９上に排出される。
【００２６】
また、用紙の表面だけでなく、裏面に画像形成を行う場合は、用紙を排紙ローラ３４から反転経路Ｓ２へと逆方向に搬送して、用紙の表裏を反転させ、用紙をレジストローラ３２へと再度導き、表面と同様にして裏面に画像形成を行い、用紙を排紙トレイ１９へと搬出する。
【００２７】
（現像装置の構成）
次に、現像装置１２の構造について、図２及び図３を参照して説明する。
【００２８】
図２は、上面視した状態での現像装置１２の断面を示す上面断面図であり、図３は、図２の矢符Ａ−Ａでの断面を示す側面断面図である。尚、図２では、図面の見易さを考慮してハッチングを省略している。
【００２９】
現像装置１２は、主に、現像ローラ４０、現像槽５０、及び搬送部材ＨＢで構成されている。尚、上述したものの他、各部を補強する部材や、現像装置１２を画像形成装置１に対して取り付け自在に支持する部材などを備えていてもよい。
【００３０】
現像ローラ４０は、感光体ドラム１３に当接して設けられており、感光体ドラム１３にトナーを供給する。本実施形態において、現像ローラ４０は、現像槽５０の上方に配置されているが、これに限定されず、現像ローラ４０は、現像槽５０のうち、トナーを外部へ供給する部分に面して設けられていればよい。
【００３１】
現像槽５０は、内部に空洞を有する容器であって、トナーと磁性キャリアとを含む２成分現像剤を収容する。尚、以下では、２成分現像剤を現像剤と略すことがある。搬送部材ＨＢは、現像槽５０に内蔵されており、回転軸ＫＺの外周に螺旋羽根ＦＮを設けた第１スクリュー６０及び第２スクリュー７０とされている。第１スクリュー６０及び第２スクリュー７０は、互いの回転軸ＫＺを平行に対向して配置され、回転して現像剤を現像槽５０内で循環させる。
【００３２】
現像槽５０には、第１スクリュー６０が内蔵された第１収容部ＳＹ１と、第２スクリュー７０が内蔵された第２収容部ＳＹ２とが設けられ、仕切り部８０によって、第１収容部ＳＹ１と第２収容部ＳＹ２とが仕切られている。尚、第１スクリュー６０及び第２スクリュー７０の各部を区別するため、第１スクリュー６０の回転軸ＫＺ及び螺旋羽根ＦＮを、第１軸６１及び第１羽根６２とし、第２スクリュー７０の回転軸ＫＺ及び螺旋羽根ＦＮを、第２軸７１及び第２羽根７２としている。また、回転軸ＫＺに沿った軸線方向Ｌのうち、現像槽５０の一方の端部（現像槽第１端部５０ａ）側へ向かう方向を軸線方向Ｌ１（図２では、右方向）とし、現像槽５０の他方の端部（現像槽第２端部５０ｂ）側へ向かう方向を軸線方向Ｌ２（図２では、左方向）とする。
【００３３】
仕切り部８０は、現像槽第１端部５０ａと現像槽第２端部５０ｂとに対応する部分が各々開口しており、これらの開口に、第１収容部ＳＹ１と第２収容部ＳＹ２との間で、現像剤を流通させる第１流通域Ｒ１及び第２流通域Ｒ２が設けられている。
【００３４】
本実施形態では、第１スクリュー６０は、仕切り部８０に面する側で、現像剤を上方から下方へ移動させるように回転（図３矢符Ｄ１の方向）している。また、第２スクリュー７０は、仕切り部８０に面する側で、現像剤を上方から下方へ移動させるように回転（図３矢符Ｄ２の方向）している。この第１及び第２スクリュー６０、７０の回転により、現像剤は、第１収容部ＳＹ１において、現像槽第１端部５０ａ（図２では、右端）から現像槽第２端部５０ｂ（図２では、左端）へ向かい、第２流通域Ｒ２を介して第２収容部ＳＹ２に移動した後、更に、現像槽第１端部５０ａへ向かい、第１流通域Ｒ１を介して第１収容部ＳＹ１に移動することを繰り返して、循環する。
【００３５】
（第２スクリュー７０周りの構成）
図４は、前記図２に示した現像装置１２から第２スクリュー７０を取り外した断面図を示す。図５は、その取り外した第２スクリュー７０の全体構成を示す斜視図である。
【００３６】
図３及び図４において、現像槽５０の第２収容部ＳＹ２の底面（槽底面５０ｃ）は、中央部が水平面に形成され、この槽底面５０ｃを形成する薄肉の下壁部５１の底面には、その下方から、トナー濃度センサ（濃度検知手段）１００の本体部１００ａが配置されている。この本体部１００ａは、先端部が水平面に形成されている。そして、前記トナー濃度センサ１００は、現像剤内のトナーと磁性キャリアとの混合比率の変化に応じて透磁率が増減するのを利用してトナー濃度を現像剤とは非接触で検出する透磁率センサである。従って、トナー濃度センサ１００の本体部１００ａが対向する槽底面５０ｃの内壁（下壁部５１の上面部分）がトナー濃度の検知面１００ｂとなっている。尚、トナー濃度センサ１００の構成や配置は前記構成に限定されず、例えば本体部１００ａが槽底面５０ｃの内壁よりも上方に突出して第２収容部ＳＹ２内に位置した構成であってもよい。この場合には、トナー濃度センサの本体部１００ａがトナー濃度の検知面となる。
【００３７】
一方、前記第２スクリュー（搬送部材）７０には、図３及び図５に示したように、螺旋羽根ＦＮの一部が切欠かれ、この切欠き部ＦＮｃにリブ部材（撹拌部材）５５が回転軸ＫＺ（７１）に立設されている。
【００３８】
図６は、図３の矢符Ｂ−Ｂでの断面を示す縦断面図であり、前記リブ部材５５とトナー濃度センサ１００との配置位置関係を示している。尚、同図では、構成を見易くするため、第２スクリュー７０を断面とせず、側方から見た図を示している。また、図７は、前記第２スクリュー７０のリブ部材５５周りを拡大した拡大斜視図である。
【００３９】
図６に示したように、リブ部材５５は、第２スクリュー７０の回転軸ＫＺの軸線方向において、トナー濃度センサ１００の濃度検知面１００ｂに対向する部位に位置している。現像剤を収容した現像槽５０の第２収容部ＳＹ２内では、前記リブ部材５５が第２スクリュー７０の回転時に応じて周期的にトナー濃度センサ１００の濃度検知面１００ｂに近接するため、トナー濃度センサ１００の出力値（周波数又は電圧）は周期的に変化する。前記トナー濃度センサ１００の出力値は、制御部９０に入力される。制御部９０には記憶部９１が電気的に接続され、記憶部９１には後述するように基準振幅値Ａｎが予め記憶されている。そして、前記制御部９０は、後に詳述するように、前記トナー濃度センサ１００の出力値の振幅値（現振幅値Ａｃ）を算出し、現振幅値Ａｃと前記基準振幅値Ａｎとに基づいて、現像剤の状態として、いわゆるキャリア上がり、現像剤の溢れ状態、及び流動性の低下状態を検出する。尚、以下の説明では、トナー濃度センサ１００の濃度検知面１００ｂをセンサ検知面と称することがある。
【００４０】
図７に示したように、リブ部材５５は、平板状に形成されており、第２スクリュー７０の回転軸ＫＺの軸線に対して傾斜して配置されている。このリブ部材５５が第２スクリュー７０の回転軸ＫＺの軸線と交差する角度（リブ部材５５の傾斜角度）θ１は、具体的には、回転軸ＫＺの軸線上を角度０°とすると、螺旋羽根ＦＮが回転軸ＫＺの軸線と交差する角度（螺旋羽根ＦＮの傾斜角度）θ２よりも小さく（θ１＜θ２）、且つ、０°よりも大きい（０°＜θ１）傾斜角度（０°＜θ１＜θ２）に設定されている。つまり、リブ部材５５は、回転軸ＫＺの軸線に対して、螺旋羽根ＦＮと同一方向に傾斜しているが、螺旋羽根ＦＮよりも傾斜が緩い配置となっている。
【００４１】
また、図６から判るように、リブ部材５５は、回転軸ＫＺの軸線方向の長さＬｌは、センサ検知面１００ｂの直径Ｄよりも若干長く（Ｌｌ＞Ｄ）に設定されている。すなわち、センサ検知面１００ｂがトナー濃度を検知する実際の検知範囲はセンサ検知面１００ｂよりも回転軸ＫＺの軸線方向に広がるため、この実際検知範囲に合わせてリブ部材５５の長さＬｌが設定されている。
【００４２】
＜感光体ドラムへの磁性キャリアの飛散状態の検出＞
以下、感光体ドラム（像担持体）１３への磁性キャリアの飛散、いわゆるキャリア上がりの検出について説明する。
【００４３】
図８は、本発明者等が実験により、現像剤量を調整してトナー濃度センサ１００の出力値（周波数又は電圧）の現振幅値Ａｃを変化させた場合での、感光体ドラム１３への磁性キャリアの付着個数と、用紙に印刷された画像上の白斑の個数を示す結果図である。同図では、標準現像剤（使用初期の現像剤）のトナー濃度（例えば７．００ｗｔ％程度）におけるトナー濃度センサ１００の振幅値を基準振幅値Ａｎとし、この基準振幅値Ａｎが前記記憶部９１に予め記憶されると共に、この基準振幅値Ａｎを１００％として、現振幅値Ａｃを％表示した値を基準振幅値Ａｎに対する現振幅値Ａｃの変動量として、振幅比（％表示）と表記している。
【００４４】
尚、前記第２スクリュー（搬送部材）７０の回転時には、トナーの粗密が発生し、この粗密によりトナー濃度センサ１００の出力値に第２スクリュー７０の回転周期に同期したＳ字カーブが発生するので、第２スクリュー７０の１回転相当時間にトナー濃度センサ１００の出力値を複数回サンプリングしてその平均値ＴＣＳを算出する一方、前記周期的に変化するＳ字カーブの最大出力値（ピーク値）Ｖmaxと最小出力値（ボトム値）Ｖminとの差（Ｖmax−Ｖmin）を現振幅値Ａｃとしている。前記キャリア付着個数や白斑個数は、用紙に低印字率（例えば５％）で多数枚（例えば３０００枚）印字（印刷）した後に計数した。また、キャリア付着個数は、感光体ドラム１３上の非画像部における所定面積中の付着個数を計数している。更に、白斑個数は、前記多数枚の印刷後に帯状の黒色画像を印刷し、その黒色画像中の白斑の個数を目視により計数している。図９は、前記図８の振幅比−キャリア付着個数の相関をグラフ化した図であり、図１０は図８の振幅比−白斑個数の相関をグラフ化した図である。
【００４５】
前記図８〜図１０において、キャリア付着個数及び白斑個数を評価すると、次の通りである。先ず、キャリア付着個数の評価では、１０個未満を「良好」、１０個以上２０個以下を「可」、２１個以上を「不良」とし、また、白斑個数の評価では、１点以下を「良好」、２点以上９点以下を「可」、１０点以上を「不良」として評価することとした。この評価では、図９及び図１０から判るように、現像剤量の減少に伴って振幅比が急激に増大し、この振幅比の増大に応じてキャリア付着個数や白斑個数が増加する傾向にあって、振幅比が１４０％までは感光体ドラム１３へのキャリア付着や白斑発生はなく、印刷画像の画質劣化は見られない。また、振幅比が１８５％程度まででは、キャリア付着は若干生じるが、白斑発生はほとんど見られない。そして、振幅比が２００％程度では、キャリア付着個数が２０個の「可」の状態、及び白斑個数が９点の「可」の状態となり、キャリア上がりは生じていないと評価できるが、振幅比が前記２００％を超えると、キャリア付着個数及び白斑個数は何れも「不良」の状態となり、キャリア上がりの状態と判断できる。従って、振幅比２００％を閾値（第１閾値）とすれば、キャリア上がり状態を確実に検出することが可能である。
【００４６】
尚、前記第１閾値（振幅比２００％）は、前記実験条件下で得た値であり、この閾値は、環境（気温、湿度等）、現像剤のトナー濃度、キャリア付着個数を計数する感光体ドラム１３の面積の広狭等に応じて若干変化するため、実験条件を種々変更して所望の閾値（振幅比）を設定すればよい。
【００４７】
図１１は、前記制御部（状態検出手段）９０が前記第１閾値を用いてキャリア上がりという現像剤の状態を検出する方法を示すフローチャート図である。同図では、スタートして、ステップＳ１において用紙への印刷（画像形成）中でのトナー濃度センサ１００からの出力値（周波数又は電圧）をサンプリングする（濃度検知工程）。ステップＳ２では、現振幅値Ａｃを算出すると共に、この現振幅値Ａｃを基準振幅値Ａｎに対する振幅比（Ａｃ／Ａｎ）・１００（％）に変換し、この振幅比（％表示）を現振幅値Ａｃの変動量とする。そして、ステップＳ３においてこの振幅比（％表示）を前記第１閾値β１（２００％）と比較し、振幅比＜β１の場合には、通常時と判断して、ステップＳ４で印刷を続行ないし再開する。一方、振幅比≧β１の場合には、キャリア上がりが生じている状態と判断して（状態検出工程）、ステップＳ５において現像モータ（図示せず）を停止させることによって印刷動作を停止し、更に、ステップＳ６において本画像形成装置１の操作パネル（図示せず）上に、予め設定したトラブルコードを表示する。
【００４８】
尚、前記図１１では、振幅比（％表示）を変動量とし、この振幅比（％表示）を第１閾値（２００％）と比較したが、その他、現振幅比（現振幅値Ａｃでの振幅比）（％表示）と基準振幅比（基準振幅値Ａｎでの振幅比）（１００％）との差分を算出し、この差分を変動量とする場合には、第１閾値を＋１００％（＝２００％−１００％）に設定すればよい。
【００４９】
また、基準振幅値Ａｎを記憶部９１に登録し記憶するに際し、誤って現像剤のない状態で測定した振幅値を基準振幅値Ａｎとして誤登録してしまった場合には、その誤った基準振幅値Ａｎと現振幅値Ａｃとの比率が通常範囲を超える異常値を示すため、この異常値をもって登録エラーと検知することが可能である。
【００５０】
＜現像剤の溢れ状態の検出＞
次に、現像槽５０からの現像剤溢れの検出について説明する。
【００５１】
図１２は、本発明者等が実験により、現像剤量を調整してトナー濃度センサ１００の出力値（周波数又は電圧）の振幅値を変化させた場合での、現像槽５０から現像剤が溢れてトナーが飛散した状態を目視により確認した結果図である。現振幅値Ａｃは、前記キャリア上がり状態の検出と同様に、周期的に変化する出力値の最大値（ピーク値）Ｖmaxと最小値（ボトム値）Ｖminとの差（Ｖmax−Ｖmin）である。同図では、現振幅値Ａｃを、基準振幅値Ａｎを１００％として％表示し、振幅比（％）として表記している。前記トナーの飛散状態は、前記キャリア上がり状態の検出と同様に、用紙に低印字率（例えば５％）で多数枚（例えば３０００枚）印字した後に評価した。同図の現像剤溢れ（トナー飛散）の状態において、「良好」はトナー飛散が全く無い状態をいい、「可」は現像槽５０近傍の現像ユニット部で汚れが見られるが、感光体プロセスユニットは汚れていない状態をいい、「不良」は飛散したトナーが感光体プロセスユニットをも汚している状態をいう。また、図１２では、各振幅比毎に用紙上の印刷画像の濃度（ＩＤ）も測定した。この濃度（ＩＤ）は、前記多数枚の印字後に、白紙用紙上に所定面積の黒色画像を印字（印刷）し、マクベス反射濃度計（マクベス社製：ＲＤ９１４）を用いて測定したものである。この測定した濃度（ＩＤ）は、０．００の白地部分に対して、値が高くなるほど高濃度である。図１３は、前記図１２の振幅比−濃度（ＩＤ）の相関をグラフ化した図である。
【００５２】
前記図１２及び図１３において、現像剤溢れ（トナー飛散）及び画像の濃度（ＩＤ）を評価すると、次の通りである。濃度（ＩＤ）の評価では、濃度（ＩＤ）が１．３５以上の高濃度の状態を「良好」とし、１．２５〜１．３５の中濃度の状態を「可」とし、１．２５未満の低濃度の状態を「不良」として評価することとした。この評価では、図１２及び図１３から判るように、現像剤量が増大すると、現像槽５０内の第２スクリュー（搬送部材）７０によって搬送される現像剤の粗密の変化が小さくなって、振幅比が減少する。この振幅比の減少に応じてトナー飛散が増大し、画像の濃度（ＩＤ）が低下する傾向にあって、振幅比が８０％まではトナー飛散は無く、また画像の濃度（ＩＤ）も高く画質劣化も見られない。また、振幅比が７０％程度にまで低下した状態では、飛散したトナーが現像ユニット部を若干汚しているが、画像の濃度低下は見られず、画質は良好である。しかし、振幅比が６０％以下になると、感光体プロセスユニットを汚し、また、濃度（ＩＤ）も１．１８以下に低下して画質劣化が見られる。従って、振幅比６０％を閾値（第２閾値）とすれば、画質劣化を招く程度の現像槽５０からの現像剤の溢れ状態を確実に検出することが可能である。
【００５３】
尚、前記第２閾値（振幅比６０％）は、前記実験条件下で得た値であり、この閾値は、環境（気温、湿度等）、現像剤のトナー濃度、印字率、評価前の用紙印刷枚数等に応じて若干変化するため、実験条件を種々変更して所望の閾値（振幅比）を設定すればよい。
【００５４】
図１４は、前記制御部（状態検出手段）９０が前記第２閾値（６０％）を用いて現像剤の溢れ状態という現像剤の状態を検出する方法を示すフローチャート図である。同図では、スタートして、ステップＳ１において用紙への印刷（画像形成）中でのトナー濃度センサ１００の出力値（周波数又は電圧）をサンプリングする（濃度検知工程）。ステップＳ２では、現振幅値Ａｃを算出すると共に、この現振幅値Ａｃを基準振幅値Ａｎに対する振幅比（Ａｃ／Ａｎ）・１００（％）に変換し、この振幅比（％表示）を現振幅値Ａｃの変動量とする。そして、ステップＳ３においてこの振幅比（％表示）を前記第２閾値β２（６０％）と比較し、振幅比＞β２の場合には、通常時と判断して、ステップＳ４で印刷を続行ないし再開する。一方、振幅比≦β２の場合には、現像槽５０から現像剤が溢れて画像の濃度低下を招く状態と判断して（状態検出工程）、ステップＳ５において現像モータ（図示せず）を停止させることによって印刷動作を停止し、更に、ステップＳ６において本画像形成装置１の操作パネル（図示せず）上に、予め設定したトラブルコードを表示する。
【００５５】
尚、前記図１４では、振幅比（％表示）を変動量とし、この振幅比（％表示）を第２閾値（６０％）と比較したが、その他、現振幅比（％表示）と基準振幅比（１００％）との差分を算出し、この差分を変動量とする場合には、第２閾値を−４０％（＝６０％−１００％）に設定すればよい。
【００５６】
＜流動性の低下状態の検出＞
次に、現像剤の流動性の低下状態の検出について説明する。
【００５７】
図１５は、本発明者等が実験により、低印字率にて連続的に印刷した場合における現像剤の流動性低下の状態を検出した結果図である。現像剤の流動性低下は、トナー濃度が高い状態で生じ易いため、本実験ではトナー濃度を高濃度（例えば９．６０ｗｔ％）としている。同図では、連続印刷での枚数増加に応じてトナー濃度センサ１００の出力値（周波数又は電圧）の現振幅値Ａｃ（Ｖmax−Ｖmin）が大きな値となり、用紙５００枚〜１Ｋ（１０００）枚までの印刷中での現振幅値Ａｃを基準振幅値Ａｎ（１００％）として、現振幅値Ａｃを％表示し、振幅比（％）と表記している。また、流動性低下の評価は、低印字率（例えば１％）で所定枚数印刷する毎（１枚、５００枚、１５００枚、２５００枚、３０００枚、５０００枚）に現像槽５０の現像ローラ４０の先端部、中間部及び後端部の３箇所にスリット治具をあてて現像剤を汲み取り、その各々の単位面積当たりの重量（ｇ／ｃｍ２）を算出し、それらの平均値を搬送量として流動性を評価している。更に、画像のガサツキをドット再現性指数（Ｉ）で評価した。ドット再現性指数（Ｉ）は、所定枚数を連続印刷した後に、ハーフトーン画像をＡ４サイズで１枚印刷し、その画像をデジタルマイクロスコープＶＨＸ−５００（レンズワイドレンジズームレンズＶＨ−Ｚ１００  キーエンス社製）を用い、ドット１０００個の面積を測定して、ドット面積の個数平均（Ｓ）とドット面積の標準偏差（σ）を算出し、下記式によりドット再現性指数（Ｉ）を算出したものである。
【００５８】
ドット再現性指数（Ｉ）＝σ／Ｓ×１００
そして、前記ハーフトーン画像のガサツキをドット再現性指数（Ｉ）で評価した。このドット再現性指数（Ｉ）が小さいほど、優れたドット再現性を示す。図１６は、図１５の振幅比−搬送量の相関をグラフ化した図であり、図１７は振幅比−ドット再現性指数（Ｉ）の相関をグラフ化した図である。
【００５９】
前記図１５〜図１７において、搬送量及びドット再現性指数（Ｉ）を評価すると、次の通りである。搬送量の評価では、３５ｇ／ｃｍ２以上を現像剤の流動性の低下のない「良好」な状態とし、２５〜３５ｇ／ｃｍ２を流動性の低下が若干見られる「可」な状態とし、２５ｇ／ｃｍ２未満を流動性の低下が見られる「不可」の状態として評価することとした。また、ドット再現性指数（Ｉ）の評価（画像のガサツキの評価）では、５．０未満を画質への影響がない「良好」な状態、５．０〜８．０の範囲をガサツキがほとんど見られない「可」の状態、８．０以上をガサツキが見られる「不可」の状態として評価することとした。図１６及び図１７から判るように、低印字での連続印刷中は、現像剤中のトナーの入れ替わりが少なくて、現像剤の搬送量が減少（流動性が低下）し、振幅比が増大する。この振幅比の増大に応じてドット再現性指数（Ｉ）は増大する（画像のガサツキが多い）傾向にあるところ、前記評価の基準では、振幅比が１２０％までは現像剤の搬送量の減少はなく、画質への影響もない良好な状態である。また、振幅比が１４０％では、現像剤の搬送量の減少は若干見られるが、画像のガサツキはほとんど見られない。しかし、振幅比が１５０％以上になると、現像剤の搬送量の減少は大きくて流動性の低下が見られ、且つ画像のガサツキも見られる状態となる。従って、振幅比１５０％を閾値（第３閾値）とすれば、低印字率での連続印刷時における現像剤の流動性の低下を確実に検出することが可能である。
【００６０】
尚、前記第３閾値（振幅比１５０％）は、前記実験条件下で得た値であり、この閾値は、環境（気温、湿度等）、現像剤のトナー濃度、印字率、評価前の用紙印刷枚数、単位面積当たりの現像剤の重量の算出の仕方等に応じて若干変化するため、実験条件を種々変更して所望の閾値（振幅比）を設定すればよい。
【００６１】
図１８は、前記制御部（状態検出手段）９０が前記第３閾値（１５０％）を用いて現像剤の流動性の低下状態という現像剤の状態を検出する方法を示すフローチャート図である。同図では、スタートして、ステップＳ１において用紙印刷中でのトナー濃度センサ１００からの出力値（周波数又は電圧）をサンプリングする（濃度検知工程）。ステップＳ２では、現振幅値Ａｃを算出すると共に、この現振幅値Ａｃを基準振幅値Ａｎに対する振幅比（Ａｃ／Ａｎ）・１００（％）に変換し、この振幅比（％表示）を現振幅値Ａｃの変動量とする。そして、ステップＳ３においてこの振幅比（％表示）を前記第３閾値β３（１５０％）と比較し、振幅比＜β３の場合には、通常時と判断して、ステップＳ４で印刷を続行ないし再開する。
【００６２】
一方、振幅比≧β３の場合には、現像剤の流動性の低下時と判断して（状態検出工程）、ステップＳ５において用紙への平均印字率を所定値Ｔ（例えば５％）と比較し、平均印字率＞Ｔの場合には、ステップＳ４に戻って印刷を続行ないし再開するが、平均印字率≦Ｔの場合には、低印字率での連続印刷の状態と判断する。この低印字率での連続印刷の状態の判断は、低印字印刷検出手段として前記制御部９０が行う。そして、前記振幅比≧β３で且つ平均印字率≦Ｔの場合には、低印字率での連続印刷に起因する現像剤の流動性低下時と判断して、ステップＳ６において、リカバリー動作（リフレッシュ動作）を実施する。このリカバリー動作は、トナーを強制的に消費させる処理を行って、その消費（廃棄）したトナー量と同量の新トナーを補給する動作である。このリカバリー動作の実行は、リカバリー手段として前記制御部９０が行う。
【００６３】
尚、前記図１８では、振幅比（％表示）を変動量とし、この振幅比（％表示）を第３閾値（１５０％）と比較したが、その他、現振幅比（％表示）と基準振幅比（１００％）との差分を算出し、この差分を変動量とする場合には、第３閾値を＋５０％（＝１５０％−１００％）に設定すればよい。
【００６４】
以上のように本実施形態では、トナー濃度センサ１００の出力値（周波数又は電圧）に基づく現振幅比（％表示）を第１閾値（２００％）と比較するだけで、感光体ドラム１３へのキャリア付着を確実に検出できるので、たとえトナー濃度センサ１００の出力値（周波数又は電圧）の平均値ＴＣＳが正常範囲内にある場合であっても、印刷画像での白斑発生を防止することが可能である。
【００６５】
また、前記現振幅比（％表示）を第２閾値（６０％）と比較するだけで、現像槽５０からの現像剤溢れを確実に検出できるので、たとえトナー濃度センサ１００の出力値（周波数又は電圧）の平均値ＴＣＳが正常範囲内にある場合であっても、印刷画像での濃度低下に起因する画質劣化を未然に防止することが可能である。
【００６６】
更に、現振幅比（％表示）を第３閾値（１５０％）と比較するだけで、低印字率での多数枚連続印刷に起因する現像剤の流動性低下を確実に検出できるので、たとえトナー濃度センサ１００の出力値（周波数又は電圧）の平均値ＴＣＳが正常範囲内にある場合であっても、早期に現像剤のリカバリー動作を実施することが可能である。
【００６７】
このように、本実施形態では、現振幅比を閾値と比較するだけで、いわゆるキャリア上がりや現像剤溢れ、及び現像剤の流動性低下を確実に検出できるので、そのような現像剤の異常変化を早期に検出できて、印刷画像を良好に保持することが可能である。
【００６８】
更に、トナー濃度センサ１００の濃度検知面１００ｂが臨む現像槽５０内では、第２スクリュー（搬送部材）７０の螺旋羽根ＦＮにおいて、切欠き部ＦＮｃにリブ部材（撹拌部材）５５が配置され、このリブ部材５５の傾斜角度θ１が螺旋羽根ＦＮの傾斜角度θ２よりも小さく（θ１＜θ２）設定されているので、螺旋羽根ＦＮにより搬送された現像剤の一部がリブ部材５５で堰き止められて滞留し、その現像剤がセンサ検知面１００ｂに向かうことになる。その結果、センサ検知面１００ｂの近傍でのトナーと磁性キャリアとの混合力（撹拌力）が高まって、トナー濃度センサ１００の出力値（周波数又は電圧）は、トナー濃度の変化に対して良好に追随変化して、トナー濃度センサ１００はトナー濃度を精度良く検出でき、センサ感度が高くなる。従って、前記キャリア上がり、現像剤溢れ、及び流動性低下をより一層に精度良く検出することが可能である。
【００６９】
尚、前記実施形態では、現像槽５０内に配置した第２スクリュー（搬送部材）７０において、螺旋羽根ＦＮの傾斜角度と異なるリブ部材（撹拌部材）５５を設けたが、本発明は、このリブ部材５５のない通常の螺旋羽根ＦＮのみを備えた構成の画像形成装置に対しても同様に適用可能である。
【００７０】
また、前記実施形態では、キャリア上がり、現像剤溢れ、及び流動性低下の全てを検出したが、本発明は、少なくともキャリア上がり及び現像剤溢れの何れか一方を現振幅値Ａｃに基づいて検出すればよい。
【００７１】
更に、前記実施形態では、キャリア上がり、現像剤溢れ及び流動性低下の三者を現振幅値Ａｃに基づいて検出したが、その他、例えば、トナー濃度センサ１００の電気的な接触不良又はトナー濃度センサ１００と本画像形成装置１とのハーネス接続の不良や抜け状態とした状況で予め実験により設定した最大振幅値を閾値として記憶部９１に登録しておくと、そのようなハーネスの接続不良等を検出することが可能である。加えて、トナー濃度センサ１００の出力値（周波数又は電圧）の平均値ＴＣＳが通常範囲内にある状況であっても、トナーカートリッジの交換時期には、現振幅値Ａｃが急激に増大するため、トナー残量が微少量未満の場合には現振幅値Ａｃでもってトナーカートリッジの交換時期を検出可能である。
【００７２】
今回開示した実施形態は全ての点で例示であって、限定的な解釈の根拠となるものではない。従って、本発明の技術的範囲は、前記した実施形態のみによって解釈されるものではなく、特許請求の範囲の記載に基づいて画定される。また、特許請求の範囲と均等の意味及び範囲内での全ての変更が含まれる。
【符号の説明】
【００７３】
１        画像形成装置
１２      現像装置
１３      感光体ドラム（像担持体）
５０      現像槽
５５      撹拌部材
７０      第２スクリュー（搬送部材）
９０      制御部（状態検出手段、低印字印刷検出手段、リカバリー手段）
９１      記憶部（記憶手段）
１００    トナー濃度センサ（濃度検知手段）
１００ｂ  濃度検知面
θ１      リブ部材の傾斜角度
θ２      螺旋羽根の傾斜角度
【図１】
2020190700.tif 000003
【図２】
2020190700.tif 000004
【図３】
2020190700.tif 000005
【図４】
2020190700.tif 000006
【図５】
2020190700.tif 000007
【図６】
2020190700.tif 000008
【図７】
2020190700.tif 000009
【図８】
2020190700.tif 000010
【図９】
2020190700.tif 000011
【図１０】
2020190700.tif 000012
【図１１】
2020190700.tif 000013
【図１２】
2020190700.tif 000014
【図１３】
2020190700.tif 000015
【図１４】
2020190700.tif 000016
【図１５】
2020190700.tif 000017
【図１６】
2020190700.tif 000018
【図１７】
2020190700.tif 000019
【図１８】
2020190700.tif 000020